(57)【特許請求の範囲】
【請求項１】
熱交換装備のガス出入口に着脱可能に締め付けられるように、対応する締結具を備えたホースと、前記締結具内には、前記ガス出入口の開閉を担当する芯棒を押圧するプレッサーを備え、前記プレッサーは、ホースの中央部を貫通して、ホースの長手方向に延在配置され、前記プレッサーを、前記芯棒方向に進退調節する調節部が、ホースの中間部に設けられ、前記ホースの締結具が前記熱交換装備のガス出入口に締め付けられた状態で、前記調節部によって前記芯棒の押圧深さを調節し、
前記調節部は、前記ホースの中間部に位置し、対向するホースにそれぞれ結合する中空のピストン部と、２つの前記ピストン部を連結する回転シリンダ部と、前記回転シリンダ部の内部に一体に形成され、四角断面のプレッサー溝が設けられ、前記プレッサーが挿入される調節棒と、前記プレッサーの外周において、少なくとも一部区間で螺合される案内管とを含み、前記回転シリンダ部の回転によって、前記プレッサーが回転しながら、案内管に対して進退するガス注入ホース。
【発明の詳細な説明】
【技術分野】
【０００１】
本発明は、冷蔵庫、空調機などの熱交換装備に設けられたガス出入口７に、マニホールドゲージセットの締結具１を締付けて冷媒を注入、排出、点検することに当たり、締付け過程で締付けが完了しない状態で、前記締結具１内の固定プレッサー１０が、前記ガス出入口７の芯棒９を押し上げて、多量の冷媒が大気中へ流出することを防止するために、前記締結具１の前記固定プレッサー１０を、外部でも調節可能なプレッサー１２に変えて、締付け済みの状態で前記芯棒９を押圧するプレッサー調節装置及びこれを有するマニホールドゲージセットに関する。
【背景技術】
【０００２】
一般に、マニホールドゲージセットは、ゲージ本体とホース６とを備え、各ホース６には、締結具１が設けられ、前記締結具１は、その内部に、固定プレッサー１０のような突出部分が形成されている。そして、冷蔵庫、空調機などの熱交換装備は、冷媒を注入、排出又は点検するガス出入口７を設け、ガス出入口７は、シュレーダバルブの構造となっている。前記シュレーダバルブには、バルブコア８が設けられ、前記バルブコア８には、ばねとゴムパッキンが設けられた芯棒９が形成される。ここで、前記芯棒９を押すと、前記ガス出入口７が開放され、離すと前記ばねの弾力でリターンして閉鎖される。前記締結具１には、雌ねじが内側に形成され、前記ガス出入口７には、雄ねじが外側に形成され、前記締結具１を回転させることにより、前記ガス出入口７に締め付けることができる。
【０００３】
前記熱交換装備の前記ガス出入口７に、前記マニホールドゲージセットの前記締結具１を締付け始めると、前記プレッサー１２が前記芯棒９を押圧して、流路が開放され、前記ガス出入口７は、空気中に半開放状態となり、締付けが完了すると、前記ガス出入口７と前記締結具１とは密着して気密が確保され、流路の開放も完了する。
【０００４】
内部に高圧ガスがある空調機などの熱交換装備のガス出入口７に、前記締結具１を着脱する過程において、大気中に多量のガスが放出することになる。
【発明の概要】
【発明が解決しようとする課題】
【０００５】
空調機などの熱交換装備のガス出入口７に、マニホールドゲージセットのホース６を、締結具１を介して連結するとき、前記締結具１を回転させることにより、前記締結具１の固定プレッサー１０のような突出装置が、前記ガス出入口７に設けられたシュレーダバルブの芯棒９を押し上げて、前記ガス出入口７が開き、装備の内部に連通することになる。ここで、前記締結具１が、前記ガス出入口７に完全に締付けられる前に、前記芯棒９の押圧が開始され、締付けが完了することにつれ、押圧も完了する。
【０００６】
この過程において、装備内部に高圧ガスがあると、ある程度は、大気中で開放状態となって、多量のガスが放出され、作業者にやけどを被り、ガス中毒を起こし、原材料の損失をもたらす。
【０００７】
また、前記ガス出入口７の前記芯棒９は、突出程度が正確でなく、前記芯棒９を開くことができないことがある。
【０００８】
また、従来のマニホールドゲージセットは、排出ホールドがないため、前記ガス出入口７からの排出ガスと、マニホールドゲージセットの残存ガスの安全な排出が困難である。
【０００９】
更に、マニホールドゲージセットのホース６と前記締結具１の継手部分には、４５度に曲がっている曲げ部２０があり、これは、前記締結具１に方向性を与えることになり、前記締結具１を前記ガス出入口７と締付けることにおいて、順方向とならない場合が多くて、締付けに困難がある。
【課題を解決するための手段】
【００１０】
締結具からホースの一側に、内部を介して連なるプレッサーを設け、前記ホースの一側に調節部を設ける。
【００１１】
前記調節部は、前記ホースを分けて、前記両端面の一側にピストン部を、他側にシリンダ部を連動するように設置する。
【００１２】
前記調節部は、一側に透明な材質からなる確認部を設け、前記確認部は、基準線を設ける。
【００１３】
前記プレッサーは、一側にプレッサーばねを設けて調節部に連結し、前記プレッサーや前記プレッサーばねなどの連結点は、プーリ式で自由回転するか、互いに切れた状態の接続点で形成することができる。
【００１４】
前記締結具１側の一端の前記案内管に、内側に案内管雌ねじ５１と、前記締結具１側の一端の前記プレッサー１２にプレッサー雄ねじ５２とを結合可能に設ける。
【００１５】
ホース６の中間を分けて、調節部３を形成する両方のホース端面にそれぞれ、ピストン部２８を設け、これらの間に前記ピストン部２８を連結する回転シリンダ部５５を設ける。
【００１６】
締結具に連なるホースの一側に折曲部を設け、前記折曲部の前記締結具から延在した方向側に調節部を設け、前記締結具から前記調節部まで内部に連なるプレッサーを設ける。
【００１７】
ホースの一側の表面上に調節部３を設け、前記ホース６の締結具側の一側から前記調節部３まで、前記ホースに沿って斜線で内部から外部に貫通する貫通口８８を設け、プレッサー１２を挿入して、締結具から前記調節部に至るようにする。前記貫通口８８は、前記プレッサー１２の締結具側の進入を容易にするために、曲げ部２０の外側方向から前記ホース６に沿って縦に伸びた形状からなる。
【００１８】
締結具３側の案内管１１に案内管雌ねじ５１を設け、プレッサー１２には、プレッサー雄ねじ５２を設け、貫通口８８を形成し、前記調節部３側の前記プレッサー１２に取っ手を設け、前記取っ手を回転させると、前記プレッサー雄ねじ５２が、前記案内管雌ねじ５１と連動して、プレッサー１２が移動する。
【００１９】
排出ホールドを、マニホールドゲージセットの本体に設ける。
【００２０】
排出ホールドは、前記ホースに設けることもできる。
【発明の効果】
【００２１】
本発明によると、マニホールドゲージセットのホース６の締結具１を、熱交換装備のガス出入口７との締付け済み状態で芯棒を押圧することにより、サイクルの大気中の開放状態をなくして、締付けに際して、ガスが外部に漏れることを防止し、やけどと有害ガスから作業者を保護し、環境を保護し、原材料を節減する効果を有する。
【００２２】
また、前記芯棒９の開閉状態を、ゲージホース６の外部より目視で容易に確認することにより、前記芯棒９の確実な開放を確保することができる。
【００２３】
更に、マニホールドゲージセットに排出ホールドを設けて、前記ガス出入口７からの排出ガスと、マニホールドゲージセット内の残存ガスとを安全に排出することができる。
【００２４】
なお、マニホールドゲージセットのホース６と前記締結具１の継手部分に、４５度に曲がった曲げ部２０があることにより、前記締結具１に方向性を与えて、前記締結具１を前記ガス出入口７と締め付けるとき、順方向とならない場合が多くて締付けに困難があったが、前記ホースが自由回転して、順方向に締付けが容易となる。
【図面の簡単な説明】
【００２５】
【図１】図１は、プレッサー調節装置が設けられたホースの斜視図と、従来の締結具の断面図である。
【図２】図２は、機械装備のガス出入口と第１実施例の締結具の断面図である。
【図３】図３は、第１実施例であって、上部調節部の正面図である。
【図４】図４は、第１実施例であって、下部調節部の断面図である。
【図５】図５は、第２実施例であって、上部調節部の断面図である。
【図６】図６は、第２実施例であって、下部調節部の断面図である。
【図７】図７は、第３実施例であって、締結具の断面図と、調節部の横断面図である。
【図８】図８は、第３実施例であって、調節部の断面図である。
【図９】図９は、第４実施例であって、ホースに屈曲部を設け、これにプレッサー調節装置を設けた斜視図と、調節装置の部分断面図である。
【図１０】図１０は、第５実施例であって、ホースの部分斜視図と、調節装置の投影図と、調節部の断面図である。
【図１１】図１１は、第７実施例であって、排出用ホールドが追加されたマニホールドゲージの正面図である。
【発明を実施するための形態】
【００２６】
以下、添付の図面を参照して、本発明の好適な実施例を詳しく説明する。まず、本明細書及び特許請求の範囲で使われた用語や単語は、通常的・辞典的な意味に限定してはいけなく、発明者は、本発明を最善の方法で説明するために、用語の概念を適切に定義することができるという原則に即して、本発明の技術的思想に符合する意味と概念として解釈されるべきである。
【００２７】
従って、本明細書に記載の実施例と図面に示されている構成は、本発明の最も好適な一実施例に過ぎず、本発明の技術的思想を全て示すことではないので、本出願時点において、これらを代替可能な様々な均等物と変形例があることを理解すべきである。
【００２８】
第１実施例として、本発明は、プレッサー調節装置及びこれを有するマニホールドゲージセットに関し、プレッサーの圧力による芯棒の移動で開閉されるガス出入口に、締結具を介して、着脱可能に連結されるホースと、前記締結具から前記ホースの一側に延在したプレッサーと、前記一側に設けられ、前記プレッサーを調節する調節部とを含む。これは、マニホールドゲージセットなどの締結具１を、冷蔵庫、空調機などの熱交換装備のガス出入口７に着脱することに際して、ガスの流出を防止するためである。本明細書において、前記締結具１は、前記気体出入口７と結合する側の連結具を指し示す。 
【００２９】
このために、マニホールドゲージセットのホース６を、前記締結具１側より近い地点で分けて、その間に調節部３を設け、前記締結具１から前記調節部３まで長く延在した形状の前記プレッサー１２を内部に設けて、前記調節部３で前記プレッサー１２を調節し、前記ガス出入口７を開閉する。そして、前記締結具１から前記調節部３まで前記プレッサー１２を案内する案内管１１を設けるが、これは、必要な部分にのみ形成することができる。前記案内管１１は、他側と連結固定される固定台１５を設け、他側と等距離を維持するために、複数の支持台１９を設ける。前記案内管１１が不要であると、前記支持台１９は、前記プレッサー１２に設け、前記支持台１９は、前記案内管１１や前記プレッサー１２に毛が出たように設けられて、前記ホース６に挿入することもできる。前記調節部３は、両側に分けられ、上部調節部２２と下部調節部２３となって、結合できるように設けられる。前記上部調節部２２は、前記締結具１側のホース６に連結され、前記下部調節部２３は、ゲージ側のホース６に連結される。前記上部調節部２２には、胴部に調節部雄ねじ２６が設けられ、ピストン部２８が形成され、前記ピストン部２８には、パッキン部材溝とパッキン部材２７が設けられる。前記下部調節部２３は、回転体と、シリンダ部と、確認部３７とを含む。前記回転体３２は、前記上部調節部２２の調節部雄ねじ２６と結合される調節部雌ねじ３５を設け、前記下部調節部２３の胴部と回転自在に設けられる。前記シリンダ部３６と前記ピストン部２８は、中空形状であり、高圧気体の気密を維持するように、前記パッキン部材２７を介して緊密に結合される。
【００３０】
前記確認部３７は、内部が見えるように、透明な材質からなり、基準線を構成する。また、前記プレッサー１２は、一側がプレッサーばね３９に連結され、前記プレッサーばね３９の他側は、前記下部調節部２３下の一側に連結され、前記確認部３７側の前記プレッサー１２に、前記基準線と比較するための標識４２が設けられる。前記回転体３２を逆に回転させた時、前記プレッサー１２が適当な位置に戻るように、前記プレッサー１２に戻りばね４５を設ける。
【００３１】
詳しく説明すると、前記締結具１を、前記ガス出入口７に締結済みの後、前記調節部３の前記下部調節部２３のねじを介して、前記調節部３の上部調節部２２方へ前進させると、前記下部調節部２３の一側に固定された前記プレッサーばね３９が上昇することになり、前記プレッサーばね３９の他側に連結されたプレッサー１２が上昇して、前記案内管１１を介して、前記ガス出入口７の前記芯棒９を押して、ガス出入口７を開放することになる。ついで、前記芯棒９の開放が完了すると、前記芯棒９がこれ以上後退しなくなり、そこで、前記プレッサーばね３９は、過度な負荷を受けることで収縮することになり、前記プレッサー１２の下部が、前記下部調節部２３側の前記案内管１１を介して押されるように見られる。すると、前記プレッサー１２下の一側の前記標識４２が、前記案内管１１や前記確認部３７の前記基準線と対比されて、その移動を前記確認部３７で見ることができ、もって、前記芯棒９の開放が完了することを可視的に確認することができる。一般に、前記ホース６と前記締結具１の連結部分は、４５度に曲がって方向性を有していて、前記締結具１の締付けに困難があったが、本発明では、前記ホースの前記締結具１側の一端が自由に回転することで、前記ガス出入口７の方向と前記締結具１の方向が順方向となって、容易に締め付けることができる。プレッサー調節装置の使用で必要となったガス排出用排気ホールド１０５と排気ホールド調節部１０１を、マニホールドゲージに更に設ける。前記締結具１を前記ガス出入口７から分離する場合は、前記調節装置の前記回転体３２を逆に回転させて、前記確認部３７により、前記標識が戻っていることを確認し、更に解除して、前記ガス出入口７の前記芯棒９が確実に戻るようにし、前記ホース６内の高圧気体を、排気ホールド１０５を介して外部に排出し、前記締結具１を解除する。前記プレッサー１２との連結線上にある各連結点は、必要時、回転自在なプーリ式ジョイント１７で連結を行うことができ、互いに切れている断続的連結も可能である。前記プレッサー１２は、軟性と剛性を兼備した材質からなる。そして、前記プレッサー１２は、前記締結具１側の曲げ部２０の屈曲がひどい場合は、軟性の良い材質のフレキシブル部材１８で形成することができる。前記上部調節部２２と下部調節部２３が分離離脱することを防止するために、前記回転体３２に離脱防止段差を設ける。前記ピストン部２８と前記シリンダ部３６は、上下を変えてもよい。このプレッサー調節装置は、前記上端と前記下端を短くして、従来のマニホールドゲージの前記締結具１の端に連なって使用可能である。前記プレッサーばね３９は、前記プレッサー１２の戻り用としても働き、必要時、戻りばね４５を設けることができる。前記ホース６内に構成物が多くなることで、流路の確保のために、前記ホース６のサイズを大きくすることができる。前記調節部３は、前記プレッサー１２を調節するための装置であり、様々な形態で形成され、前記プレッサー１２自体の弾性に鑑みて、ネジ山を設けることなく、摺動ロック形態で一回に進入させるように構成することもできる。
【００３２】
第２実施例として、図５及び図６に示しているように、確認部３７を、上部調節部２２側に設けている。これは、前記実施例とほぼ同一であり、前記確認部３７を前記上部調節部２２側に形成したことが異なる。前記確認部３７と案内管１１は、透明な材質からなり、基準線４１が設けられ、前記プレッサー１２には、標識４２が設けられる。 前記上部調節部２２の中間一側まで案内管１１が固設され、前記プレッサー１２も同様に構成され、前記案内管１１の下部には、前記プレッサー１２が安着される係止部６１と、押棒７１が進入する押棒案内溝６０とが設けられる。前記プレッサー１２の前記調節部３の一側に、前記戻りばね４５と前記プレッサーばね３９が設けられる。そして、前記下部調節部２３の一側に、前記プレッサー１２を押圧する押棒７１を形成する。
【００３３】
第３実施例として、図７及び図８に示しているように、前記締結具１側の一端の前記案内管の案内管雌ねじ５１と、前記締結具１側の一端の前記プレッサー１２のプレッサー雄ネジ５２とを結合可能にする。そして、ホース６の中間を分けて調節部３を設け、両方のホース端面にそれぞれ、ピストン部２８を設け、これらの間に、前記ピストン部２８を連結する回転シリンダ部５５を設ける。前記ピストン部２８と前記回転シリンダ部５５が結合される構造として、中空状からなり、離脱を防止する離脱防止段差が設けられ、前記ピストン部２８には、気密のためのパッキン部材溝とパッキン部材２７が設けられる。前記回転シリンダ部５５は、内部に横切る調節棒４６が形成され、前記調節棒４６には、矩状のプレッサー溝４８が横に設けられる。前記調節部３側の前記プレッサー１２の一端は、矩状となっており、前記プレッサー溝４８に挿入され、回転シリンダ部５５の回転に連動して、往復動することになる。
【００３４】
第４実施例として、図９に示しているように、マニホールドゲージセットのホース６の中間に、屈曲部８２を設け、締結具１側から連なる方向に調節部３を延設し、締結具１から調節部３までプレッサー１２を設け、前記プレッサー１２に合う前記屈曲部８２の貫通部にパッキン部材９８を設けて、気密を維持する。前記調節部には、回転取っ手９２を設け、前記プレッサー１２の端に、前記プレッサーばね３９の一側を連結し、前記プレッサーばね３９の他側を前記回転取っ手９２の一側に連結し、前記プレッサー１２のリターンのために、戻りばね４６を設け、確認部３７を形成する。プレッサーは、回転する必要がないので、プレッサーの連結部分は、プーリ式ジョイント１７で連結する。そして、締結具側の構成は、第１実施例と同様である。本例では、ホース６を線状にするため、二回屈曲して、便利にしており、ホース６に伸縮部は不要であり、残りの構成は、上記の他の例と同様である。残りのガスを排出するための排出ホールドを、屈曲部に設けることもできる。 
【００３５】
第５実施例として、図１０は、ホースの一側の表面上に調節部３を構成し、前記ホース６の締結具側の一側から前記調節部３まで、前記ホース６に斜線で、内部より外部に貫通する貫通口８８を設け、プレッサー１２を挿入して、締結具から調節部３に至るようにする。前記貫通口８８は、前記プレッサー１２の締結具側の進入を容易にするために、曲げ部２０の外側方向において、前記ホース６に沿って縦に伸びた形状に設けられる。前記締結具から前記貫通口８８の内入口８７まで、前記プレッサー１２を案内する案内管１１が設けられる。前記案内管１１は、必要な部分にのみ設置することができる。前記貫通口８８は、前記プレッサー１２の前記案内管１１の役割も果たす。前記貫通口８８と前記プレッサー１２の間には、パッキン部材が設けられ、気密を維持する。前記プレッサー１２がスムーズに動くように、前記貫通口８８と前記プレッサー１２の間に潤滑剤を用い、前記貫通口８８の内側入口８７と外側入口８６は、漏油と汚染を防ぐために、パッキンを形成する。前記プレッサー１２は、区間によって、材質を異にすることができる。前記調節部３には、前記ホース６の表面に接着面８９を介して接着される胴部９０と、前記胴部９０の中央に設けられたスリット８４に沿って摺動する調節ボタン８５とが設けられ、前記調節ボタン８５の下部には、前記プレッサー１２が連結される連結部９１が設けられる。前記調節ボタン８５と前記胴部９０は、すべりを取り締まるために、前記調節ボタン８５を押すと動き、離すと固定される構造でもよく、係止段差や停止装置を設けることもできる。
【００３６】
第６実施例として、別の図面なく説明する。第６実施例は、第３実施例と第５実施例とほぼ同一である。すなわち、第３実施例のように、締結具１側の案内管１１に、案内管雌ねじ５１を設け、プレッサー１２には、プレッサー雄ねじ５２を設け、ホース６には、第５実施例の貫通口８８を設け、前記調節部３側の前記プレッサー１２に取っ手を形成し、前記取っ手を回転させると、前記プレッサー雄ねじ５２が前記案内管雌ねじ５１に連動して、前記プレッサー１２が移動する。
【００３７】
第７実施例として、図１１は、マニホールドゲージセットの胴部に排出ホールドを更に形成したものである。一般に、マニホールドゲージは、低圧ホールド１０７と、給排気ホールド１０６と、高圧ホールド１０４とを含み、プレッサー調節装置を形成すると、気体の出入りを完了し、前記プレッサー１２を後退させて、前記芯棒９が戻った時、マニホールドゲージのホース６内には気体が残り、前記締結具１を解除すると、放出することになる。これを安全に排出するために、前記排気ホールド１０５と前記排気ホールド調節部１０１とを更に設ける。前記排出ホールドと前記排出ホールド調節部は、前記マニホールドゲージセットの胴部に形成してもよく、前記ホース６に形成してもよい。
【産業上の利用可能性】
【００３８】
本発明は、締結具をガス出入口に締付けることに際して流出される管理が不可であったガスを、容易に管理することができ、多方面で有用に活用することができる。
［項目１］
ガス出入口に着脱可能に締め付けられる締結具を備えるホースにおいて、
上記締結具から上記ホースの一側に延在したプレッサーを設け、上記一側に、上記プレッサーを調節する調節部を設けることを特徴とするプレッサー調節装置及びこれを有するマニホールドゲージセット。
［項目２］
上記調節部は、上記ホースを分けて、上記両端面の一側にピストン部を、他側にシリンダ部を中空状に連動して設置することを特徴とする項目１に記載のプレッサー調節装置及びこれを有するマニホールドゲージセット。
［項目３］
上記調節部は、一側に透明な材質からなる確認部を設けることを特徴とする項目１に記載のプレッサー調節装置及びこれを有するマニホールドゲージセット。
［項目４］
上記調節部は、押棒を設けることを特徴とする項目１に記載のプレッサー調節装置及びこれを有するマニホールドゲージセット。
［項目５］
上記プレッサーは、一側に、プレッサーばねを設けることを特徴とする項目１に記載のプレッサー調節装置及びこれを有するマニホールドゲージセット。
［項目６］
上記プレッサーは、一側に、案内管の一側に設けられた雌ねじに結合される雄ねじを設けることを特徴とする項目１に記載のプレッサー調節装置及びこれを有するマニホールドゲージセット。
［項目７］
上記調節部は、上記ホースを分けて、上記両端面にそれぞれ中空のピストン部を設け、これらの間に上記ピストン部を連結する中空の回転シリンダ部を設けることを特徴とする項目１に記載のプレッサー調節装置及びこれを有するマニホールドゲージセット。
［項目８］
締結具に連なるホースの一側に折曲部を設け、上記折曲部の上記締結具から延在した方向側に調節部を設け、上記締結具から上記調節部まで内部に貫通するプレッサーを設けることを特徴とするプレッサー調節装置及びこれを有するマニホールドゲージセット。
［項目９］
ホースの一側の表面に調節部を設け、上記ホースの締結具側の一側から上記調節部側まで、上記ホースに斜線で内部から外部に貫通する貫通口を設け、上記締結具から上記調節部まで上記貫通口を貫通して、プレッサーを設けることを特徴とするプレッサー調節装置及びこれを有するマニホールドゲージセット。
［項目１０］
マニホールドゲージセットに排出ホールドを設けることを特徴とするプレッサー調節装置及びこれを有するマニホールドゲージセット。
【符号の説明】
【００３９】
１  締結具
３  調節部
６  ホース
７  気体出入口
８  バルブコア
９  芯棒
１０  固定プレッサー
１１  案内管
１２  プレッサー
１５  固定台
１７  ジョイント
１８  フレキシブル部材
１９  支持台
２０  曲げ部
２２  上部調節部
２３  下部調節部
２６  調節部雄ねじ
２７  パッキン部材
２８  ピストン部
３２  回転体
３５  調節部雌ねじ
３６  シリンダ部
３７  確認部
３９  プレッサーばね
４１  基準線
４２  標識
４５  戻りばね
４６  調節棒
４８  プレッサー溝
５１  案内管雌ねじ
５２  プレッサー雄ねじ
５５  回転シリンダ部
５８  パッキン部材溝
６０  押棒案内溝
６１  係止部
７１  押棒
８２  屈曲部
８４  スリット
８５  調節ボタン
８６  外側入口
８７  内側入口
８８  貫通口
８９  接着面
９０  胴部
９１  連結部
９２  回転取っ手
９８  パッキン部材
１０１  排気ホールド調節部
１０２  圧力表示計
１０３  高圧調節部
１０４  高圧ホールド
１０５  排気ホールド
１０６  給排気ホールド
１０７  低圧ホールド
１０８  低圧調節部
【図１】
0006615993.tif 000002
【図２】
0006615993.tif 000003
【図３】
0006615993.tif 000004
【図４】
0006615993.tif 000005
【図５】
0006615993.tif 000006
【図６】
0006615993.tif 000007
【図７】
0006615993.tif 000008
【図８】
0006615993.tif 000009
【図９】
0006615993.tif 000010
【図１０】
0006615993.tif 000011
【図１１】
0006615993.tif 000012